(57)【要約】【課題】照明器具において、セードの器具本体に対する位置決めを容易に可能とすることによる作業性の向上、ソケット支持体の補強を図る構成を提案する。【解決手段】キッチン等の天井に付設される器具本体２と、該器具本体２に着脱自在に装着されるセード３を有する照明器具であって、前記器具本体２は、基盤２１と、基盤２１に取付けられ、直管ランプの端部が装着されるソケット２３を取付けるソケット支持体２２と、前記ソケット支持体２２よりも基盤の長手方向外側に配される側部カバー部材４０と、を有し、前記側部カバー部材４０の外側面は、セード３の装着時にセード３の開口部３ｆに接触し、前記セード３を、規定の位置にガイドするガイド面に形成されるとともに、前記側部カバー部材４０には、前記ソケット支持体の外側面に当着する第一の補強部４２・４２を設けた。【選択図】図６
2004363092.tif 000002
【特許請求の範囲】
【請求項１】
キッチン等の天井に付設される器具本体と、該器具本体に着脱自在に装着されるセードを有する照明器具において、
前記器具本体は、
基盤と、
基盤に取付けられ、直管ランプの端部が装着されるソケットを取付けるソケット支持体と、
前記ソケット支持体よりも基盤の長手方向外側に配される側部カバー部材と、を有し、
前記側部カバー部材の外側面は、セードの装着時にセードの開口部に接触し、セードを規定の位置にガイドするガイド面に形成される、ことを特徴とする照明器具。
【請求項２】
請求項１に記載の照明器具において、
前記側部カバー部材には、
前記ソケット支持体の外側面に当着する第一の補強部を設けた、ことを特徴とする照明器具。
【請求項３】
請求項２に記載の照明器具において、
前記側部カバー部材には、
前記第一の補強部を補強するとともに、
セードの装着時にセードの開口部に接触し、セードを規定の位置にガイドする補強リブを設けた、
ことを特徴とする照明器具。
【請求項４】
請求項１乃至請求項３のいずれか一項に記載の照明器具において、
前記側部カバー部材には、
前記ソケット支持体の内側面に当着する第二の補強部を設けた、ことを特徴とする照明器具。
【請求項５】
請求項１乃至請求項４のいずれか一項に記載の照明器具において、
前記側部カバー部材により遮光される領域の下側境界線の高さと、基盤の側板により遮光される領域の下側境界線の高さを略同一に構成するとともに、
前記ソケット支持体は、斜め下方に延出される複数の延出脚を有し、該延出脚の端部にソケットが配される構成とした、ことを特徴とする照明器具。
【請求項６】
請求項１乃至請求項５のいずれか一項に記載の照明器具において、
前記ソケット支持体につき、最も外側に配される二つの延出脚は、
互いの延出端部の間の距離が離れる方向に、ソケット支持体の基部から斜め下方に延出されるとともに、
前記各延出脚の端部と、前記ソケット支持体の基部との間には、ガイド脚が設けられる、
ことを特徴とする照明器具。
【請求項７】
請求項６に記載の照明器具において、
前記両ガイド脚の外縁は、
前記ソケット支持体の外縁の一部を形成するとともに、
両ガイド脚の外縁間の距離は、天井側に近いほど広くなるものとし、
前記セードを規定の位置にガイドするガイド部に形成される、
ことを特徴とする照明器具。
【請求項８】
請求項１乃至請求項７のいずれか一項に記載の照明器具において、
前記側部カバー部材は、基盤に対して着脱自在に構成される、ことを特徴とする照明器具。
【発明の詳細な説明】
【技術分野】
【０００１】
本発明は、照明器具における器具本体の構成に関し、より詳しくは、器具本体のソケット支持体の補強、及び、セードの位置決めの構成に関する。
【背景技術】
【０００２】
器具本体にセードを装着する構成の照明器具においては、器具本体に対してセードを位置決めする必要があり、この位置決めに関する技術を開示する文献が存在する（例えば、特許文献１参照。）。この文献で開示されるところの技術では、器具本体側に設けた凸部材に対し、セード側に設けられた筒状枠体の位置を合わせる、即ち、位置決めをし、前記凸部材を筒状枠体に挿入させることにより、器具本体に対するセードの位置規制を行うようにしている。
また、直管ランプを並列して備える照明器具においては、直管ランプの両側端を装着するソケットは、それぞれ、基盤に立脚した別体のソケット支持体に取付けられるようにしている（例えば、特許文献２参照。）。前記ソケット支持体は板体とすることで適度な弾性による「たわみ」が許容され、直管ランプの取付け・取外しの作業においては、直管ランプの損傷防止に寄与するものである。
【０００３】
【特許文献１】実公平４−３０７２５号公報
【特許文献２】特開２００２−９３２３５号公報
【発明の開示】
【発明が解決しようとする課題】
【０００４】
しかし、上記特許文献１で開示される位置決めの構成では、筒状枠体の中に器具本体側の凸部材を挿入させる必要があるため、筒状枠体を、凸部材の位置に合わせる作業、即ち、位置決め作業が必要とされる。セードの取付け作業は、通常、作業者が下からセードを持ち上げて行なわれ、前記凸部材及び筒状枠体がセードに隠れて見えない（若しくは見えづらい）ため、この位置決め作業は作業者にとって煩わしいものである。特に、一人で作業する場合では、セードの中心を保持して作業を行うため、両端に存在する前記筒状枠体を確認しながらの作業は困難を極めることになる。
【０００５】
また、上記特許文献２で開示されるソケット支持体に関しては、基盤に個別に立脚される板体のみで構成されているため、例えば、直管ランプの取付け・取外し作業の際に、直管ランプによって前後方向（直管ランプの長手方向）に強く押圧されることにより変形し、さらには折れるといった不具合が発生するおそれがある。これは、直管ランプのランプピンを垂直方向に挿入又は引抜き可能とする構成のソケットを備える照明器具における作業の場合では、ランプピンを前後方向に挿入又は引抜く必要はないのだが、従来の一般的なソケットがランプピンを前後方向から挿入する構成としていることもあり、作業者が誤って前後方向に挿入又は引抜くように作業してしまうことが想定されるため、上記の不具合は特に発生しやすいといえる。このようなことからも、ソケット支持体においては、十分な強度、耐久性が要求されるものである。
このため、ソケット支持体を肉厚の厚い板体で構成することも検討されるが、コスト高となってしまうとともに、上述した適度な弾性による「たわみ」が許容されなくなるといった問題が派生する。
さらに、図１１に示すごとく、基盤２１の底板２１ｂに立脚する一枚の板体よりソケット支持体２２を構成し、これに複数のソケット２３・２３を取付ける構成とするものもあるが、ソケット支持体２２の存在により、セード３の側板３ｃ・３ｃを通過しようとする光の大部分を遮光してしまい、セード３の湾曲周面３ｂを通過する光量と均衡が取れなくなってしまうという問題が生じる。従来の照明器具においては、このような問題に配慮していなかったということもあり、例えば、前記光量の均衡の問題から、照明器具の周囲に明暗のコントラストが生じ、その暗い部分の存在により、観者によっては、照明器具の周囲の雰囲気を重たいものに感じることになると考えられる。
【０００６】
さらに、発明者らは、直管ランプを備える照明器具の特徴的な構成に着目した。
直管ランプの長さはワット数によって異なるため、従来の照明器具では、器具本体の長手方向の幅（長さ）は直管ランプの長さによって決められている。即ち、器具本体の長さは、装着する直管ランプに応じて設計され、前記ソケット支持体の配置も一義的に決められている。このように、従来の照明器具では、直管ランプのワット数ごとに器具本体の設計がなされ、他のワット数の直管ランプに対応させる設計とはされていない。
このため、ワット数ごとに異なる器具本体の設計がなされ、生産体制が必要とされているのである。
【０００７】
本発明は、以上の点に鑑み、セードの器具本体に対する位置決めを容易に可能とすることによる作業性の向上、ソケット支持体の補強及び同支持体に関する光量の均衡への配慮、更には、ワット数の異なる直管ランプに対応すべく器具本体の共用化による生産コストの削減をも図る構成とした照明器具の構成を提案するものである。
【課題を解決するための手段】
【０００８】
本発明の解決しようとする課題は以上のごとくであり、次にこの課題を解決するための手段を説明する。
【０００９】
即ち、請求項１に記載のごとく、キッチン等の天井に付設される器具本体と、該器具本体に着脱自在に装着されるセードを有する照明器具において、
前記器具本体は、
基盤と、
基盤に取付けられ、直管ランプの端部が装着されるソケットを取付けるソケット支持体と、
前記ソケット支持体よりも基盤の長手方向外側に配される側部カバー部材と、を有し、
前記側部カバー部材の外側面は、セードの装着時にセードの開口部に接触し、セードを規定の位置にガイドするガイド面に形成されることである。
【００１０】
また、請求項２に記載のごとく、前記側部カバー部材には、
前記ソケット支持体の外側面に当着する第一の補強部を設けたことである。
【００１１】
また、請求項３に記載のごとく、前記側部カバー部材には、
前記第一の補強部を補強するとともに、
セードの装着時にセードの開口部に接触し、セードを規定の位置にガイドする補強リブを設けたことである。
【００１２】
また、請求項４に記載のごとく、前記側部カバー部材には、
前記ソケット支持体の内側面に当着する第二の補強部を設けたことである。
【００１３】
また、請求項５に記載のごとく、前記側部カバー部材により遮光される領域の下側境界線の高さと、基盤の側板により遮光される領域の下側境界線の高さを略同一に構成するとともに、
前記ソケット支持体は、斜め下方に延出される複数の延出脚を有し、該延出脚の端部にソケットが配される構成としたことである。
【００１４】
また、請求項６に記載のごとく、前記ソケット支持体につき、最も外側に配される二つの延出脚は、互いの延出端部の間の距離が離れる方向に、ソケット支持体の基部から斜め下方に延出されるとともに、前記各延出脚の端部と、前記ソケット支持体の基部との間には、ガイド脚が設けられることとするものである。
【００１５】
また、請求項７に記載のごとく、前記両ガイド脚の外縁は、前記ソケット支持体の外縁の一部を形成するとともに、両ガイド脚の外縁間の距離は、天井側に近いほど広くなるものとし、前記セードを規定の位置にガイドするガイド部に形成されることとするものである。
【００１６】
また、請求項８に記載のごとく、前記側部カバー部材は、基盤に対して着脱自在に構成されることである。
【発明の効果】
【００１７】
本発明の効果として、以下に示すような効果を奏する。
【００１８】
即ち、請求項１に記載の発明では、前記側部カバー部材によりセードの前後方向の位置がガイドされ、一人での装着作業も容易に行うことができる。
【００１９】
また、請求項２に記載の発明では、直管ランプの着脱の際におけるソケット支持体の変形を防止することができる。
【００２０】
また、請求項３に記載の発明では、前記第一の補強部の強度が、補強リブによって強化されるため、直管ランプの着脱の際におけるソケット支持体の変形をより効果的に防止することができる。
【００２１】
また、請求項４に記載の発明では、直管ランプの着脱の際におけるソケット支持体の変形を防止することができる。
【００２２】
また、請求項５に記載の発明では、セードの全方位における光量の均衡が図られ、点灯時における美観も良好となるとともに、天井に映る間接光においてもバランスの取れたものとなる。また、セードの側板からの光量の光を十分に確保することができる。
【００２３】
また、請求項６に記載の発明では、ガイド脚の存在により、延出脚と側部カバー部材との間に形成される空間が閉じられることになり、セードの装着・取外し作業時に、セード（被ガイド部材）を前記空間に入り込ませてしまうことがなくなり、装着・取外し作業をスムーズに行うことができる。
【００２４】
また、請求項７に記載の発明では、ガイド脚をセードの位置決めの目安とすることができる。また、両ガイド脚の外縁間の距離は、その下部から天井側に向かって広くなる、即ち、略「Ｖ」字状としているため、セードの被ガイド部材の内面をガイド脚の外縁に当てた状態において、そのまま、セードを上方へ移動させることによれば、セードの側部カバー部材（基盤）に対する位置決めができる。
【００２５】
また、請求項８に記載の発明では、長手方向に直列的に並設される基盤を限りなく近接して配置し、全体として一つの器具本体を構成することが可能となり、ワット数のバリエーションに個別対応させるために必要な器具本体の種類の数を削減することができ、これにより、製作コストの削減を図ることができる。
【発明を実施するための最良の形態】
【００２６】
次に、本発明の実施の形態を、図面に基づいて説明する。
図１は本発明にかかる照明器具の構成の概略を示す側面図、図２は器具本体の構成を示す底面図、図３はソケット支持体及び側部カバー部材の構成を示す斜視図、図４は同じく側面一部断面図、図５は同じく後面図、図６は器具本体とセードの側部の構成を示す斜視図、図７の（ａ）〜（ｃ）はセードの取付け手順を示す図、図８は実施例２のソケット支持体の構成について示す後面図、図９は同じく斜視図、図１０は器具本体を並設して構成される照明器具を示す側面図、図１１は従来の照明器具の構成を示す側面図である。
【実施例１】
【００２７】
先ず、照明器具１の概要について説明する。
図１及び図２に示すごとく、本発明にかかる照明器具１は、キッチン等の天井に付設される器具本体２と、該器具本体２に着脱自在に装着されるセード３を有するものである。
前記器具本体２は、基盤２１と、基盤２１に取付けられ、直管ランプ２４・２４の端部が装着されるソケット２３・２３・・を取付けるソケット支持体２２・２２と、基盤２１に取付けられ、前記ソケット支持体２２・２２よりも基盤２１の長手方向外側に配される側部カバー部材４０・４０と、を有する構成とするものである。尚、該側部カバー部材４０・４０は、基盤２１に直接取付ける他、ソケット支持体２２・２２に取付ける構成としてもよく、いずれの構成にも限定されるものではない。
また、図１及び図２において、２５・２５は、インバータブロックであり、２６・２６・・・は、セード３を支持固定するセード係止部である。
前記セード３は、湾曲周面３ｂと、その両側に配される側板３ｃ・３ｃとから一体に構成されており、器具本体２側を開口部とする半円筒状に構成されるものである。そして、該セード３は、開口部の前後方向の内側面が前記側部カバー部材４０・４０にガイドされるようにして器具本体２に取付けられるものである。
【００２８】
次に、各構成部材の詳細について説明する。
前記ソケット支持体２２は、図３及び図４に示すごとく、基部２２ａの上部（基盤２１に面する側）が内側（直管ランプ２４・２４側、以下同じ）に屈曲されて基盤２１の底板２１ｂの表面（天井に付設した状態において下側となる面）に接触する固定面２２ｂが形設され、該固定面２２ｂの下方より挿入するビス２９などの固定具（図４）により底板２１ｂに対して固定される。
また、該ソケット支持体２２において、基部２２ａの左右中央部より斜め方向に延出脚２２ｃ・２２ｃが延出され、該延出脚２２ｃ・２２ｃの下端は、ソケット支持体２２・２２が配置されるソケット固定部２２ｄ・２２ｄに構成されている。このようにして、図５に示すごとく、ソケット支持体２２は、延出脚２２ｃ・２２ｃにて略逆「Ｖ」字に構成され、両延出脚２２ｃ・２２ｃの間には、光の通過を許容する開口２２ｆが形成されている。
また、図３に示すごとく、該ソケット支持体２２の基部２２ａには、側部カバー部材４０の係合部４１を挿入するための長方形状の係合孔２２ｅが開口されている。
【００２９】
該側部カバー部材４０は、図３に示すごとく、前記基盤２１の左右の縁を上方に屈曲して形設される側板２１ａ・２１ａの間に挿入されるものであり、その外側（ソケット支持体２２・２２と反対側、以下同じ）の左右端４０ａ・４０ａを、それぞれ左右方向に延出することにより、側板２１ａ・２１ａの長手方向端面を覆うようにしている。
また、図３に示すごとく、側部カバー部材４０の外側面は、平面視で前記左右端４０ａ・４０ａにかけてなだらかな一連の外側に膨らむ円弧を成す湾曲状の側面４０ｂで構成されている。また、該側面４０ｂは、図４に示すごとく、側面視においても外側に膨らむ円弧を成す湾曲状に構成され、前記側部カバー部材４０の側面視における外縁を略円弧状としている。
また、図３及び図４に示すごとく、側部カバー部材４０において、側面４０ｂの内側（ソケット支持体２２・２２側、以下同じ）斜め上方には、左右方向の水平面４０ｃが形設されている。該水平面４０ｃと側面４０ｂの間は、傾斜面４０ｄで構成されている。
また、図３に示すごとく、側部カバー部材４０において、水平面４０ｃの略中央部には、前記ソケット支持体２２の係合孔２２ｅに挿入され、側部カバー部材４０とソケット支持体２２とを係合させる係合部４１が突出されている。該係合部４１は、長方形状の係合立面４１ａを、ソケット支持体２２側にオフセットさせて立ち上げて、側面視略逆「Ｌ」字状（図４）とするものであり、該係合部４１の裏面（直管ランプ２４・２４の反対側、以下同じ）となる係合立面４１ａは、ソケット支持体２２の係合孔２２ｅに挿入された状態において、ソケット支持体２２の基部２２ａのおもて面（直管ランプ２４・２４側の面、以下同じ）に当着するようになっている。このように、側部カバー部材４０とソケット支持体２２とは係合により一体化されるようになっている。そして、この係合部４１（係合立面４１ａ）は、後述する第二の補強部として機能するものである。
また、図３及び図４に示すごとく、側部カバー部材４０において、係合部４１の両側方には、延出脚２２ｃ・２２ｃの裏面（直管ランプ２４・２４の反対側、以下同じ）に当着する補強部４２・４２が延出されている。該補強部４２・４２は、後面視略台形状とし、そのおもて面（直管ランプ２４・２４側の面、以下同じ）が、前記延出脚２２ｃ・２２ｃの裏面に対して面で当着するようになっており、後述する第一の補強部として機能するものである。
また、側部カバー部材４０において、補強部４２・４２の裏面（直管ランプ２４・２４の反対側、以下同じ）に向かっては、前記水平面４０ｃ及び傾斜面４０ｄより一連の補強リブ４３・４３が立ち上げられている。該補強リブ４３・４３は、図４に示すごとく、その上面を側面視において外側に膨らむ円弧を成す湾曲状とするものであり、前記側面４０ｂにより形成される湾曲状の外縁とともに、一連のガイド線４０ｒを形成している。尚、このガイド線４０ｒは、図４において、側部カバー部材４０の上端部における通過点４４ａが、下端部における通過点４４ｂよりも外側に位置するものであれば、後述するように、側部カバー部材４０の外側面が、前記セード３を、規定の位置にガイドするガイド面を形成するので、本実施例のごとく湾曲状とする他、直線、折れ線等であってもよい。
また、図４に示すごとく、側部カバー部材４０において、側面４０ｂの上部の内側より底板４０ｅを突出し、該底板４０ｅの上面に基盤２１の底板２１ｂのおもて面が当接されるようになっている。
また、図５に示すごとく、側部カバー部材４０において、前記水平面４０ｃの高さＨ１（天井Ｓからの距離）は、基盤２１の側板２１ａ・２１ａにおける高さＨ２（天井Ｓからの距離）と略同一としており、側部カバー部材４０により遮光される領域の下側境界線の高さと、基盤２１の側板２１ａ・２１ａにより遮光される領域の下側境界線の高さとを略同一とするようにしており、望ましくは、高さＨ１＝高さＨ２となるような寸法構成としているものである。
また、図５及び図６に示すごとく、側部カバー部材４０において、後面視における左右両端部は、前記水平面４０ｃ側から刳り貫かれて凹部４０ｔ・４０ｔに形設されるとともに、前記水平面４０ｃの左右端面から凹部４０ｔ・４０ｔの頂部との間を斜状の傾斜ガイド面４０ｗ・４０ｗに構成し、セード３の内側上縁に沿って被ガイド部材３ｗ・３ｗを前後方向に形設し、セード３を器具本体２に装着した状態において、被ガイド部材３ｗ・３ｗが前記凹部４０ｔ・４０ｔに収められる構成としている。
【００３０】
以上の構成において、図４に示すごとく、セード３を器具本体２に取付ける際には、セード３の側板３ｃ・３ｃの内側を前記側部カバー部材４０に合わせるようにして、セード３を器具本体２に近づけると、セード３の開口部３ｆ、即ち、側板３ｃ・３ｃの内側上部端面が、前記側部カバー部材４０における補強リブ４３・４３、及び側面４０ｂから構成される一連のガイド線４０ｒによりガイドされ、器具本体２の長手方向中心位置に位置決めされる。
このように、側部カバー部材４０の外側面は、セード３の装着時にセード３の開口部３ｆに接触し、前記セード３を、規定の位置にガイドするガイド面に形成されるものである。
例えば、図７（ａ）〜（ｃ）に示すごとく、セード３の前側の端部を直管ランプ２４に軽く接触させつつ直管ランプ２４の前端部分まで移動させると（図７（ａ））、直管ランプ２４が存在しなくなった点でセード３の上方への移動が許容され（図７（ｂ））、前側の位置決めを行うことができ、その後、セード３の後側の端部を上方に移動させセード３を水平にセットする（図７（ｃ））。この状態で、セード３を上方に水平移動させると、セード３は、前後の側部カバー部材４０Ｆ・４０Ｂにガイドされつつ、器具本体２に装着されるものである。この一連の作業においては、器具本体２とセード３の前後方向における相対位置の関係を意識する必要もなく、作業者はストレスを感じることなく作業を完了することができる。この効果は、セード３の重さや、バランスの保持の困難性に着目した場合、セード３が長くなればなるほど、より重要性を増す、即ち、優れた効果を呈するものであり、セード３の長い大型の照明器具において、従来困難とされていたセード３の取付け作業を、極めて簡単な作業とすることができるものである。
【００３１】
また、図４に示すごとく、側部カバー部材４０において、前記補強部４２・４２のおもて面は、前記ソケット支持体２２の延出脚２２ｃ・２２ｃの裏面に対し当着するため、ソケット２３・２３・・への直管ランプ２４・２４の着脱時において、ソケット固定部２２ｄ・２２ｄの延出脚２２ｃ・２２ｃを外側（直管ランプ２４・２４と反対側、以下同じ）へ撓ませようとする力は、補強部４２・４２によって支えられるため、側部カバー部材４０における変形を抑えることができる。
このように、補強部４２・４２を側部カバー部材４０の第一の補強部として機能させることにより、直管ランプ２４・２４の着脱の際におけるソケット支持体２２の変形を防止することができる。
また、この際、前記補強リブ４３・４３は、補強部４２・４２を外側へたわませようとする力を支えるものであり、補強部４２・４２の補強部材として機能する。
【００３２】
また、図４に示すごとく、側部カバー部材４０において、前記係合部４１の裏面は、ソケット支持体２２の基部２２ａのおもて面に当着するため、ソケット２３・２３・・への直管ランプ２４・２４の着脱時において、ソケット固定部２２ｄ・２２ｄの延出脚２２ｃ・２２ｃを内側（直管ランプ２４・２４側、以下同じ）へ撓ませようとする力は、係合部４１によって支えられるため、側部カバー部材４０における変形を抑えることができる。
このように、係合部４１を側部カバー部材４０の第二の補強部として機能させることにより、直管ランプ２４・２４の着脱の際におけるソケット支持体２２の変形を防止することができる。
【００３３】
また、図３及び図４に示すごとく、側部カバー部材４０とソケット支持体２２とは係合部４１により一体化されるため、ソケット支持体２２を基盤２１に対しビス２９にて固定すると同時に、側部カバー部材４０も基盤２１に対し固定されるのである。
このように、前記ソケット支持体２２及び側部カバー部材４０は、基盤２１に対して着脱自在に構成されるものであり、側部カバー部材４０はソケット支持体２２と一体となって基盤２１に対して固定されるため、取付けが容易に行えるとともに、他の固定具を要することなく低コストに構成することができる。
【００３４】
また、図５に示すごとく、側部カバー部材４０により遮光される領域の下側境界線の高さと、基盤２１の側板２１ａ・２１ａにより遮光される領域の下側境界線の高さとを略同一に構成しているため、側板３ｃ・３ｃ及び湾曲周面３ｂにおいて遮光される領域の高さを略同一とすることができ、セード３の全方位における光量の均衡が図られ、点灯時における美観も良好となるとともに、天井に映る間接光においてもバランスの取れたものとなる。
また、この側板３ｃ・３ｃを通過する光量に関し、図５に示すごとく、ソケット支持体２２は、両延出脚２２ｃ・２２ｃにて略逆「Ｖ」字に構成され、両延出脚２２ｃ・２２ｃの間には、光の通過を許容する開口２２ｆが形成されるため、該開口２２ｆを十分な光量の光を通過させることが可能となり、上述したセード３の全方位における光量の均衡を図ることができる。
【００３５】
尚、上記の例では、ソケット支持体２２の延出脚２２ｃ・２２ｃを二本とする例について述べたが、延出脚２２ｃ・２２ｃの本数については、特に限定するものではない。例えば、延出脚２２ｃを一本として、一本の直管ランプを具備するソケット支持体２２とする構成においても、上記側部カバー部材４０を用いることによれば、一本の延出脚２２ｃを補強等する効果を得られることもできる。また、この一本の延出脚２２ｃに、直管ランプの長手方向に貫通する開口を形成すれば、上記の開口２２ｆによるものと同等の効果を得ることができる。
また、延出脚２２ｃ・２２ｃを三本・四本・・・とするような場合においては、側部カバー部材４０の各延出脚２２ｃ・２２ｃの間に開口を確保するとともに、前記側部カバー部材４０においては、各延出脚２２ｃ・２２ｃに個別に対応する補強部４２・４２を設ければ、上記と同様な効果を得ることができる。
【実施例２】
【００３６】
次に実施例２について説明する。
上述したごとく、ソケット支持体２２の延出脚２２ｃ・２２ｃは、略逆「Ｖ」字を形成するようにして、両延出脚２２ｃ・２２ｃの間に、光の通過を許容する開口２２ｆを形成することとしている（図５参照）。
ところが、延出脚２２ｃ・２２ｃを斜め下方に延出させることとすると、該延出脚２２ｃ・２２ｃの外側（反開口２２ｆ側）の縁（外縁２２ｙ・２２ｙ）と、側部カバー部材４０の水平面４０ｃとの間に空間２８が形成されることになり、セード３の装着、取外しの際に、セード３の被ガイド部材３ｗ・３ｗが空間２８に入り込んでしまうことが考えられる。
セード３を取付ける際、被ガイド部材３ｗを空間２８に入り込ませてしまった場合には、該被ガイド部材３ｗは水平面４０ｃに突き当たるため、該被ガイド部材３ｗを凹部４０ｔの位置に合わせる必要が生じる。即ち、セード３の装着の際には、図５の紙面左右方向の位置決めが必要とされるのである。
一方、セード３を取り外す際に、セード３を真直ぐ下方に移動させずに、斜め下方向にセード３を移動させてしまうと、被ガイド部材３ｗを延出脚２２ｃの外縁２２ｙに引っかけてしまうことになるため、セード３は真直ぐ下方に移動させて取り外す必要が生じる。即ち、セード３の取外しの際には、図５の紙面左右方向の位置をずらすことなく、真直ぐ下方向にセード３を移動させることが必要とされるのである。
以上のように、上記実施例１の構成とする場合、作業者は、図５の紙面左右方向の位置を注意しながらの装着・取外し作業を行わなければならないことになる。
【００３７】
そこで、本実施例２では、図８及び図９に示すごとくの構成として、以上の問題を解決することとしている。
即ち、前記ソケット支持体２２につき、前記延出脚２２ｃ・２２ｃのうち、最も外側に配されるものは、互いの延出端部（ソケット固定部２２ｄ・２２ｄ）の間の距離を離す方向に、ソケット支持体２２の基部２２ａから斜め下方に延出されるとともに、前記各端部（左右外側先端部）と、前記ソケット支持体２２の基部２２ａの左右両側端部との間には、ガイド脚２７・２７が設けられるものとするものである。このガイド脚２７・２７の存在により、前記空間２８が閉じられることになり、セード３の装着・取外し作業時に、前記被ガイド部材３ｗを空間２８に入り込ませてしまうことがなくなり、装着・取外し作業をスムーズに行うことができる。
尚、本実施例では、延出脚２２ｃ・２２ｃを二本とするものであるが、延出脚２２ｃ・２２ｃを三本・四本・・・として、より多くの直管ランプ２４を備える構成も考えられる。このため、仮に延出脚２２ｃ・２２ｃを三本とするような場合においては、最も外側に配されるものにつきガイド脚２７・２７を設けるものとし、真中の一本については、ガイド脚２７を省略することとしてもよい。
【００３８】
また、前記ガイド脚２７・２７と、延出脚２２ｃ・２２ｃの外縁２２ｙ・２２ｙの間には、空間２８・２８がそれぞれ形成されるものとする。これによれば、光が空間２８・２８を通過することが許容されるため、上述したセード３の全方位における光量の均衡を図ることができる。
【００３９】
さらに、前記両ガイド脚２７・２７の外縁２７ｙ・２７ｙは、ソケット支持体２２の外縁の一部を形成するとともに、両ガイド脚２７・２７の外縁２７ｙ・２７ｙ間の距離は、天井側に近いほど広くなるものとする、つまり、外縁２７ｙ・２７ｙは基部２２ａの左右方向両端側から左右中心側下方に向かって斜めに形成されるものとし、セード３に配される被ガイド部材３ｗを、規定の位置である側部カバー部材４０の凹部４０ｔにガイドするガイド部に形成されるものとする。これによれば、被ガイド部材３ｗの内面をガイド脚２７の外縁２７ｙに当てることにより、ガイド脚２７・２７をセード３の位置決めの目安とすることができる。また、両ガイド脚２７・２７の外縁２７ｙ・２７ｙ間の距離は、その下部から天井側に向かって広くなる、即ち、略「Ｖ」字状としているため、セード３の被ガイド部材３ｗの内面をガイド脚２７の外縁２７ｙに当てた状態において、そのまま、セード３を上方へ移動させることによれば、セード３の側部カバー部材４０（基盤２１）に対する位置決め（図８において、紙面左右方向）を行うことが可能となる。
【００４０】
尚、上記のガイド脚２７・２７は、いわゆるプレス加工によって、空間２８・２８の部分を打ち抜くことにより形成されるものとする、あるいは、ソケット支持体２２の別部材のものをソケット支持体２２に取付ける構成とする、のいずれのものであってもよく、とくに限定されるものではない。
また、上記のガイド脚２７・２７は、延出脚２２ｃ・２２ｃとソケット支持体２２の基部２２ａを連結するものであることから、延出脚２２ｃ・２２ｃの撓みに対する補強部材としても機能することになる。
【実施例３】
【００４１】
次に実施例３について説明する。
前記側部カバー部材４０は、基盤２１に対して着脱自在に構成されているため、例えば、図１０に示すごとく、二つの器具本体２・２の基盤２１・２１を、長手方向に直列的に並設して一連の器具本体２０Ａを形成するとともに、該器具本体２０Ａの両側部には、前記ソケット支持体２２・２２及び側部カバー部材４０・４０を配する一方、両基盤２１・２１が隣り合う器具本体２０Ａの中央部には、ソケット支持体２２・２２のみを配する構成し、さらに、該器具本体２０Ａの長さに対応する一連のセード３０Ａを装着する構成とすることができる。
このように、前記中央部の側部カバー部材４０・４０を取り外すことにより、長手方向に直列的に並設される基盤２１・２１の端部を当着させて配置し、全体として一つの器具本体２０Ａを構成することが可能となるものである。
そして、複数の器具本体２・２により、全体として一つの器具本体２０Ａを構成することによれば、ワット数のバリエーションに個別対応させるために必要な器具本体の種類の数を削減することもでき、これにより、製作コストの削減を図ることができる。例えば、４０Ｗの直管ランプを装着する照明器具を二つ並設することにより、８０Ｗ型としての照明器具を形成することが可能となる等である。
さらに、従来は、複数の照明器具が間隔を開けて配される構成となるため、照明器具が「点在する」といった印象を観者に与えることも考えられるが、以上に述べた器具本体２０Ａによる構成によれば、一つのセード３０Ａにより器具本体２０Ａの全体が覆われることで、外観上は一つの照明器具が形成されるため、このような印象を与えることもない。
尚、このように並設した場合においても、セード３の長手方向の中途部は、セード係止部２６・２６によって支持されるため、セード３の中途部において、セード３がたわむことによって側板２１ａ・２１ａとの間に隙間が形成されることもなく、光漏れの不具合が発生することもない。
【図面の簡単な説明】
【００４２】
【図１】本発明にかかる照明器具の構成の概略を示す側面図。
【図２】器具本体の構成を示す底面図。
【図３】ソケット支持体及び側部カバー部材の構成を示す斜視図。
【図４】同じく側面一部断面図。
【図５】同じく後面図。
【図６】器具本体とセードの側部の構成を示す斜視図。
【図７】（ａ）は、セードの取付け作業における第一の段階を示す図。（ｂ）は、セードの取付け作業における第二の段階を示す図。セードの取付け作業における第三の段階を示す図。
【図８】実施例２のソケット支持体の構成について示す後面図。
【図９】同じく斜視図。
【図１０】器具本体を並設して構成される照明器具を示す側面図。
【図１１】従来の照明器具の構成を示す側面図。
【符号の説明】
【００４３】
３    セード
２１  基盤
２２  ソケット支持体
２３  ソケット
４０  側部カバー部材
４２  補強部
【図１】
2004363092.tif 000003
【図２】
2004363092.tif 000004
【図３】
2004363092.tif 000005
【図４】
2004363092.tif 000006
【図５】
2004363092.tif 000007
【図６】
2004363092.tif 000008
【図７】
2004363092.tif 000009
【図８】
2004363092.tif 000010
【図９】
2004363092.tif 000011
【図１０】
2004363092.tif 000012
【図１１】
2004363092.tif 000013